(57)【要約】　　　（修正有）【課題】冷蔵庫等に収納する２リットル程度の飲料水用プラスチック瓶等でも老年や幼児においても持ち運びや取扱が容易で、携帯式で取付容易な瓶等に使用する把手を提供する。【解決手段】前頭部３、瓶支持部２及び両者をつなぐ連結部４からなる瓶等に使用する把手であり、前記前頭部には、瓶等の首部５１に引っかかる環状部を備え、且つ瓶等の首部に引っかかる環状部及びスリット部を備えている。又、前頭部、瓶支持部及び両者をつなぐ連結部からなり、弾性部材からなり、各部材は直線状となっている把手である。【選択図】　図２
2004099101.tif 000002
【特許請求の範囲】
【請求項１】
前頭部、瓶支持部及び両者をつなぐ連結部からなることを特徴とする瓶等に使用する把手
【請求項２】
前記前頭部には、瓶等の首部に引っかかる環状部を備えたことを特徴とする請求項１記載の瓶等に使用する把手
【請求項３】
前記前頭部には、瓶等の首部に引っかかる環状部及びスリット部を備えたことを特徴とする請求項２記載の瓶等に使用する把手
【請求項４】
前頭部、瓶支持部及び両者をつなぐ連結部からなり、弾性部材からなり、各部材は直線状となっていることを特徴とする瓶等に使用する把手
【発明の詳細な説明】
【０００１】
【発明の属する技術分野】
本発明は、液体用瓶等の運搬の為の把手に関し、特に、飲料水や果汁用の瓶やボトルなどに簡単に取り付けられ運搬できるものに関する。
【０００２】
【特許文献】
特開平９−２１６６３４号公報
【従来の技術】
現在水などの飲料水は販売されており、２リットル瓶が家庭では主流である。そして、それら飲料瓶の運搬は、把手や取っ手がない場合が多いので、瓶のキャップ部分をつかだり、胴体部分を両手などでつかんで運んだり、又は冷蔵庫などから取り出していた。
【０００３】
【発明が解決しようとする課題】
上記の従来の構成では、例えば、飲料水などの２リットル瓶などを冷蔵庫から取り出したり、又入れたりする場合に、２ｋｇの重量があるので、老人や子供などが行う場合には、掴みにくく、且つ重い為に、負担となっており、手に余り落とすことも少なくない。
【０００４】
又、逆に瓶に取っ手がある場合には、狭い冷蔵庫に取っ手分スペースを要し収納しにくい欠点があった。
【０００５】
また、製造コストも上がり、その分、瓶価格の上昇を来すことにもなっていた。
【０００６】
本発明は、上記の問題点を改善して、老人や子供などが容易に瓶に取り付けでき、簡単に運搬ができ又冷蔵庫などからも容易に取り出すことができ、しかも冷蔵庫などでもスペースを余分に要しない把手を得ることを目的とする。
しかも非使用時には、携帯自在となるものを得る。
【０００７】
【課題を解決するための手段】
上記の課題を解決するために本発明では、前頭部、瓶支持部及び両者をつなぐ連結部からなる瓶等に使用する把手を提供する。
【０００８】
更に前記前頭部には、瓶等の首部に引っかかる環状部を備えた把手を提供する。
【０００９】
前記前頭部には、瓶等の首部に引っかかる環状部及びスリット部を備えた瓶等に使用する把手を提供する
【００１０】
前頭部、瓶支持部及び両者をつなぐ連結部からなり、弾性部材からなり、各部材は直線状となっている瓶等に使用する把手を提供する。
【００１１】
【発明の実施の形態】
本発明の実施の形態を実施例に基づき、図面を参照して説明する。図１は本発明の実施例の一つである。
【００１２】
図１で示されるように、把手１には、市販の飲料水用のプラスチック瓶５に取り付けた状態を示している。
該把手１は、図２に示すように、主に３つの部分からなり、一は、瓶５の胴部５０へ挿着される瓶支持部２、一は瓶２の首部５１へ掛かる前頭部３、その両者をつなぐ連結部４とからなる。把手１は、プラスチックで一体成形が可能であるが、
別体として接着剤などで組み合わせることもできる。
【００１３】
材料は、プラスチック材などの弾性材からなるが、瓶を運ぶ程度の剛性を有さねばならない。勿論、弾性部材からなる部材としては、プラスチックの外種々の材料が当業者によって採用できる。例えば、薄板状の鉄材や硬質な紙材でもできる。通常は、図２に示すように、三次元ではなく直線状になっており、瓶に掛けるときには、図１に示すような状態となる。
【００１４】
しかし、少しの撓み、例えば弓状のような形状をしていてもかまわない。
【００１５】
即ち、瓶支持部２は、瓶５に挿入させる為、挿着部２０１が設けられており、該挿着部２０１は、瓶５を支持する枠体２０が挿着部２０１周囲を囲んでいる。
【００１６】
又、通常は、プラスチック瓶５には、それ自体では、強度が弱いので補強のための溝部５２が瓶５周囲の胴部５０に形成されているので、係合部２１が挿着部２０１に設けられる。係合部２１は、挿着部２０１の先端部が、図２に示すように、好ましいが、側部又は前部でも設けることはできる。
【００１７】
このため、瓶５の掛けたときに、溝部５２に掛かり脱落することなく抜け落ちない。
【００１８】
前頭部３には、瓶５の首部５１へ掛かる環状部３０が設けられる。瓶体には、殆どキャップ５０１が設けられているので、その瓶５の首部５１へ挿着可能である。該環状部３０は、瓶５のキャップ５０１へ嵌るように、図２に示すように、環状からなっており、直線方向にスリット部３１が設けられる。スリット部３１と環状部３０の境界には、喉部３００が設けられおり、瓶５の首５１へ掛けたときに、該喉部３００によって瓶５の首部５１から脱落しないようになっている。
【００１９】
又スリット部３１は、瓶５の首部５１の口径が環状部３０の径より大なるときには、広がり挿着を助ける。なお、スリット部３１は、弾性材で形成されるので、広がることは可能なので、設けなくてもよいが、挿着を更に容易にすることは理解される。把手はプラスチックのような弾性部材で形成されているので、瓶５の首部５１へ係合した後は、元の環状部３０の口径の形状へ戻るので、外れることはない。
【００２０】
把手１の瓶支持部２と前頭部３とをつなぐ連結部４は、瓶５へ取り付けたときに、取っ手ともなるもので、図２に示すように、他の前頭部３や瓶支持部２に比べてより強度を持たせ他の前頭部３や瓶支持部２るために、他部に比べてより厚い、厚み部４０を有している。この場合、前頭部３や瓶支持部２は、比較的弾性的であってもよいが、連結部４は把持しなければならないので、より硬質でなければならない意味である。そこで、瓶４に掛けて持っても取っ手としての役割を果たせる。
【００２１】
以上により、把手１を瓶５に対して、簡単に瓶５の胴部５０へ瓶支持部２の
挿着部２０１を瓶の胴部５０に対して挿入し、瓶の溝部５２へ取付け、且つ前頭部３を瓶５の首５１へ挿着させて、取り付ける。取付後は、連結部４を持って運ぶことができる。又、購入後や非使用時には、環状部３０や挿着部２０１があるので、台所の壁等に吊り下げておけ、場所もとらない。
【００２２】
冷蔵庫などへ収納するときは、そのまま冷蔵庫のポケットへ装着するが、把手１は弾性を有しており、瓶５に対して手が挿入できるための間隙があるので、可動でき、従って、ポケットの隣りに他の瓶とうがあっても、瓶５体に押しつけられて縮まり、固定式な把手に比べて容積を取らないで、収納することができる。
【００２３】
以上本発明の技術思想は、上記の実施例に限定されず当業者によって種々の実施例が考えられる
【００２４】
【発明の効果】
本発明は、上記のように、老人や子供などが容易に瓶に取り付けでき、簡単に運搬ができ又冷蔵庫などからも容易に、片手でも取り出すことができる。
【００２５】
しかも冷蔵庫などでも、把手は可動するのでに張り付いて、他の瓶等の邪魔にならず、スペースを余分に要しない利点がある。
【００２６】
更に、通常は、瓶に取り付けないときは、三次元ではなく直線状としておけるので、持ち運びが容易であり、携帯自在で多数運ぶことも可能である。
【００２７】
また、飲料瓶等が使用し終わった後は、把手は、容易に取り外すことができるので、再利用することもでき経済的である。
【図面の簡単な説明】
【図１】本発明の実施例の一つである把手を瓶に取り付けた状態を示す。
【図２】本発明の実施例の一つである把手の全体図である平面又は側面を示す。
【符号の説明】
１　　　　把手
２　　　　瓶支持部
２０　　　　　　枠体
２１　　　係合部
２００　　挿着部
３　　　　前頭部
３０　　　環状部
３１　　　スリット部
３００　　咽喉部
４　　　　連結部
４０　　　厚み部
５　　　　瓶
５０　　　胴部
５０１　　キャップ
５１　　　首部
５２　　　溝部
【図１】
2004099101.tif 000003
【図２】
2004099101.tif 000004